(57)【要約】【課題】小さなスペースに配置可能でありつつ高い調湿性能を有し、且つ製造が容易な調湿部材及びその調湿部材に用いられる調湿板の保持具を提供する。【解決手段】調湿部材２０は、電気・電子機器収納ボックス１内に配置される。調湿部材２０は、吸放湿する複数の調湿板２２と、保持具１９とを備えている。保持具１９は、対向する第１及び第２の側壁２１ｃ、２１ｄを有する保持具本体２１と、高さ方向に沿って配列された複数の支持平面部対２８とを備えている。支持平面部対２８は、第１の側壁２１ｃに固定され、第１の側壁２１ｃから第２の側壁２１ｄ側に向かって延びる第１の支持平面部２３ａと、第１の支持平面部２３ａの側方において、第２の側壁２１ｄに固定され、第２の側壁２１ｄから第１の側壁２１ｃ側に向かって延びる第２の支持平面部２３ｂとを有している。複数の調湿板２２のそれぞれは、支持平面部対２８の上に載置されている。【選択図】図１
2010081719.tif 000002
【特許請求の範囲】
【請求項１】
電気・電子機器が収納されている電気・電子機器収納ボックス内に配置される調湿部材であって、
吸放湿する複数の調湿板と、
前記複数の調湿板を保持する保持具とを備え、
前記保持具は、
対向する第１及び第２の側壁を有する保持具本体と、
前記第１の側壁に固定され、前記第１の側壁から前記第２の側壁側に向かって延びる第１の支持平面部と、前記第１の支持平面部の側方において、前記第２の側壁に固定され、前記第２の側壁から前記第１の側壁側に向かって延びる第２の支持平面部とを有しており、高さ方向に沿って配列された複数の支持平面部対とを備え、
前記複数の調湿板のそれぞれは、前記支持平面部対の上に載置されている、調湿部材。
【請求項２】
前記保持具本体は、前記第１の側壁の下端部と前記第２の側壁の下端部とを接続する底壁と、前記第１の側壁の上端部と前記第２の側壁の上端部とを接続する天井壁との少なくとも一方をさらに有し、正面及び背面の少なくとも一方には、前記複数の調湿板が配置されている空間に接続されている開口が形成されている、請求項１に記載の調湿部材。
【請求項３】
電気・電子機器が収納されている電気・電子機器収納ボックス内に配置される調湿部材であって、
吸放湿する複数の調湿板と、
前記複数の調湿板を保持する保持具とを備え、
前記保持具は、基板と、前記基板の上に相互に間隔を置いて配置されており、前記基板から上側に向かって延びる複数の支持壁部とを有し、
前記複数の調湿板のそれぞれは、隣接する前記支持壁部の間に挿入されて立てかけられている、調湿部材。
【請求項４】
電気・電子機器が収納されている電気・電子機器収納ボックス内に配置される調湿部材であって、
空気を透過させる変形可能な通気性シートと、
前記通気性シートに貼付された吸放湿する複数の調湿板とを備える、調湿部材。
【請求項５】
前記複数の調湿板のそれぞれは、細長形状に形成されており、前記複数の調湿板は、前記調湿板の幅方向に沿って相互に間隔をあけて配列されている、請求項４に記載の調湿部材。
【請求項６】
前記通気性シートは可撓性を有する、請求項４または５に記載の調湿部材。
【請求項７】
前記通気性シートは不織布により構成されている、請求項４〜６のいずれか一項に記載の調湿部材。
【請求項８】
前記通気性シートは、複数の貫通孔が形成された金属製シートにより構成されている、請求項４〜６のいずれか一項に記載の調湿部材。
【請求項９】
前記調湿部材は、巻回された状態で電気・電子機器収納ボックス内に配置される、請求項４〜８のいずれか一項に記載の調湿部材。
【請求項１０】
調湿板が、無機多孔体により形成されている請求項1〜９のいずれか一項に記載の調湿部材。
【請求項１１】
調湿板を構成する無機多孔体が、非晶質シリカ及び珪酸塩化合物の内の少なくとも一方を主成分として含む請求項1〜１０のいずれか一項に記載の調湿部材。
【請求項１２】
電気・電子機器が収納されている電気・電子機器収納ボックス内に配置され、吸放湿する複数の調湿板を有する調湿部材に用いられる調湿板の保持具であって、
対向する第１及び第２の側壁を有する保持具本体と、
前記第１の側壁に固定され、前記第１の側壁から前記第２の側壁側に向かって延びる第１の支持平面部と、前記第１の支持平面部の側方において、前記第２の側壁に固定され、前記第２の側壁から前記第１の側壁側に向かって延びる第２の支持平面部とを有しており、高さ方向に沿って配列された複数の支持平面部対とを備え、
前記複数の支持平面部のそれぞれに調湿板が載置される、調湿板の保持具。
【請求項１３】
電気・電子機器が収納されている電気・電子機器収納ボックス内に配置され、吸放湿する複数の調湿板を有する調湿部材に用いられる調湿板の保持具であって、
基板と、
前記基板の上に相互に間隔を置いて配置されており、前記基板から上方に向かって延びる複数の支持壁部とを備え、
隣接する前記支持壁部の間に調湿板が挿入されて立てかけられる、調湿板の保持具。
【発明の詳細な説明】
【技術分野】
【０００１】
本発明は、例えば分電盤や操作盤等が収納されている電気・電子機器収納ボックスなどに設置される調湿部材、詳細には、複数の調湿板を有する調湿部材及びその調湿部材に用いられる調湿板の保持具に関する。
【背景技術】
【０００２】
発電所から供給される高電圧の電力を分電する分電盤が組み込まれているボックス、電力機器を操作するための操作盤が収納されているボックス、通信機器が収納されている小型のボックスや、各種機械制御のための電子部品が収納されているボックス等の各種の電気・電子機器収納ボックスがある。電気機器や電子機器を保護するために、電力が供給されている状態では、ボックス内の温度は比較的高く、かつ相対湿度は比較的低く保たれている。
【０００３】
しかしながら、電力の供給が停止された場合、ボックス内の温度は急激に低下する。そのため、ボックス内の相対湿度が急激に上昇する。その結果、ボックス内の電気機器や電子機器に結露が生じたり、絶縁不良や漏電が生じたりすることがあった。このような問題は、屋外に設置されたボックスにおいて特に生じ易かった。気象庁の観測記録では、１時間で約２０℃、昼夜で約２２℃温度低下した事例がある。屋外に設置されたボックスにおいては、外部環境の変化によってもボックス内の温度が急激に変化し、相対湿度が急激に変化することがあった。従来、このような問題を解決するために、ボックス内に調湿材が設置されている。
【０００４】
調湿材は、例えば相対湿度１００％以下でも水蒸気を吸着することができる材料を用いて構成されている。調湿材は、外部環境の変化に応じて、水蒸気を吸着したり、吸着した水を放出したりする。それによって、周囲の相対湿度の変化を小さくすることができる。
【０００５】
上記のような調湿材の一例として下記の特許文献１には、吸水ポリマーからなる調湿材のボックス内への取付け方法として、シート状の調湿材をボックスの扉に吊り下げる方法が記載されている。
【０００６】
さらに、吸水ポリマーからなる調湿材を用いているために、経年により形状が変化するという欠点があり、ふくれ、崩壊などの現象も来たしていた。
【０００７】
さらに特許文献２には、複数の調湿板が間隔を隔てて積層されている調湿板の積層体が開示されている。ここでは、複数の調湿板の四角に形成されたねじ穴にねじを挿入することにより、複数の調湿板が積層されている。
【特許文献１】特開２００３−１３４６１８号公報
【特許文献２】特開２００８−０２３５１６号公報
【発明の開示】
【発明が解決しようとする課題】
【０００８】
上記の特許文献１及び２に記載されているように、電気・電子機器収納ボックス内に調湿板を配置することにより、電気・電子機器収納ボックスへの通電が行われていない状態においても、電気・電子機器収納ボックス内における結露の発生を抑制することができる。
【０００９】
しかしながら、上記の特許文献１に記載されているように、電気・電子機器収納ボックスの扉の内面に調湿板を吊り下げる場合、多数の調湿板を電気・電子機器収納ボックス内に配置するのが困難である。特に、内壁に多くの電気・電子機器が配置されている電気・電子機器収納ボックスにおいては、配置可能な調湿板の枚数が限られる。このため、電気・電子機器収納ボックス内における結露の発生を十分に抑制するのに十分な枚数の調湿板を配置することが困難である場合がある。
【００１０】
それに対して、特許文献２に開示されている調湿部材では、多数の調湿板が積層された状態で固定されている。このため、特許文献２に開示されている調湿部材を用いることによって、小さな設置スペースにより多くの調湿板を配置することができる。
【００１１】
しかしながら、特許文献２に開示されている調湿部材では、各調湿板の四隅に形成されたねじ孔に挿入されたねじにより複数の調湿板が相互に固定されている。このため、調湿部材の製造に際しては、複数の調湿板のそれぞれにねじ孔を形成する工程、及び各ねじ孔にねじを挿入する工程を行わなければならず、調湿部材の製造が極めて煩雑であるという問題がある。
【００１２】
本発明の目的は、小さなスペースに配置可能でありつつ高い調湿性能を有し、且つ製造が容易な調湿部材及びその調湿部材に用いられる調湿板の保持具を提供することにある。
【課題を解決するための手段】
【００１３】
本発明に係る第１の調湿部材は、電気・電子機器が収納されている電気・電子機器収納ボックス内に配置される調湿部材であって、吸放湿する複数の調湿板と、複数の調湿板を保持する保持具とを備え、保持具は、対向する第１及び第２の側壁を有する保持具本体と、第１の側壁に固定され、第１の側壁から第２の側壁側に向かって延びる第１の支持平面部と、第１の支持平面部の側方において、第２の側壁に固定され、第２の側壁から第１の側壁側に向かって延びる第２の支持平面部とを有しており、高さ方向に沿って配列された複数の支持平面部対とを備え、複数の調湿板のそれぞれは、支持平面部対の上に載置されている。
【００１４】
本発明に係る第１の調湿部材のある特定の局面では、保持具本体は、第１の側壁の下端部と第２の側壁の下端部とを接続する底壁と、第１の側壁の上端部と第２の側壁の上端部とを接続する天井壁との少なくとも一方をさらに有し、正面及び背面の少なくとも一方には、複数の調湿板が配置されている空間に接続されている開口が形成されている。これによれば、複数の調湿板が配置された保持具本体内の空間と外部空間との間の通気性を高めることができる。従って、調湿部材の調湿性能をより高くすることができる。
【００１５】
本発明に係る第２の調湿部材は、電気・電子機器が収納されている電気・電子機器収納ボックス内に配置される調湿部材であって、吸放湿する複数の調湿板と、複数の調湿板を保持する保持具とを備え、保持具は、基板と、基板の上に相互に間隔を置いて配置されており、基板から上側に向かって延びる複数の支持壁部とを有し、複数の調湿板のそれぞれは、隣接する支持壁部の間に挿入されて立てかけられている。
【００１６】
本発明に係る第３の調湿部材は、電気・電子機器が収納されている電気・電子機器収納ボックス内に配置される調湿部材であって、空気を透過させる変形可能な通気性シートと、通気性シートに貼付された吸放湿する複数の調湿板とを備えている。
【００１７】
本発明に係る第３の調湿部材のある特定の局面は、複数の調湿板のそれぞれは、細長形状に形成されており、複数の調湿板は、調湿板の幅方向に沿って相互に間隔をあけて配列されている。この構成によれば、調湿部材を調湿板の幅方向に沿って変形させることができる。
【００１８】
本発明に係る第３の調湿部材の他の特定の局面は、通気性シートは可撓性を有する。この構成によれば、調湿部材の形状を配置スペースの形状に合わせて変化させることができる。従って、例えば、調湿部材の形状を隙間の形状に沿った形状にすることにより、狭い隙間に調湿部材を配置することも可能となる。
【００１９】
本発明に係る第３の調湿部材の別の特定の局面は、通気性シートは不織布により構成されている。
【００２０】
本発明に係る第３の調湿部材のさらに他の特定の局面は、通気性シートは、複数の貫通孔が形成された金属製シートにより構成されている。この構成によれば、金属シートを折り曲げることにより調湿部材の形状を配置スペースの形状に合わせて変化させることができる。従って、例えば、調湿部材の形状を隙間の形状に沿った形状にすることにより、狭い隙間に調湿部材を配置することも可能となる。
【００２１】
本発明に係る第３の調湿部材のさらに別の特定の局面は、調湿部材は、巻回された状態で電気・電子機器収納ボックス内に配置される。
【００２２】
本発明に係る第１の調湿板の保持具は、電気・電子機器が収納されている電気・電子機器収納ボックス内に配置され、吸放湿する複数の調湿板を有する調湿部材に用いられる調湿板の保持具であって、対向する第１及び第２の側壁を有する保持具本体と、第１の側壁に固定され、第１の側壁から第２の側壁側に向かって延びる第１の支持平面部と、第１の支持平面部の側方において、第２の側壁に固定され、第２の側壁から第１の側壁側に向かって延びる第２の支持平面部とを有しており、高さ方向に沿って配列された複数の支持平面部対とを備え、複数の支持平面部のそれぞれに調湿板が載置される。
【００２３】
本発明に係る第２の調湿板の保持具は、電気・電子機器が収納されている電気・電子機器収納ボックス内に配置され、吸放湿する複数の調湿板を有する調湿部材に用いられる調湿板の保持具であって、基板と、基板の上に相互に間隔を置いて配置されており、基板から上方に向かって延びる複数の支持壁部とを備え、隣接する支持壁部の間に調湿板が挿入されて立てかけられる。
【発明の効果】
【００２４】
本発明に係る第１の調湿部材及び調湿板の保持具では、高さ方向に沿って配列された複数の支持平面部対のそれぞれに調湿板が載置され、小さな配置スペースに多数の調湿板を積層して配置することが可能であるため、高い調湿性能を実現することができる。また、調湿板にねじ孔などを形成する必要がなく、調湿板を各支持平面部対の上に載置するのみで容易に調湿部材を作成することができる。
【００２５】
本発明に係る第２の調湿部材及び調湿板の保持具では、複数の調湿板が基板上に間隔を置いて配列された複数の支持壁部間に挿入されて立てかけられるため、調湿板一枚あたりの設置面積を小さくすることができ、小さな設置スペースに多数の調湿板を配置できるため、高い調湿性能を実現することができる。また、調湿板にねじ孔などを形成する必要がなく、調湿板を隣接する支持壁部間に挿入するのみで容易に調湿部材を作成することができる。
【００２６】
本発明に係る第３の調湿部材では、変形可能な通気性シートに吸放湿する複数の調湿板が貼付されており、隙間の形状に合わせて調湿部材の形状を変化させることができるため、本発明に係る第３の調湿部材は小さなスペースにも配置することができ、よって、高い調湿性能を実現することができる。また、調湿板にねじ孔などを形成する必要がなく、調湿板を通気性シートに貼付するのみで容易に調湿部材を作成することができる。
【発明を実施するための最良の形態】
【００２７】
以下、図面を参照しつつ、本発明の具体的な実施形態を説明することにより、本発明を明らかにする。
【００２８】
（第１の実施形態）
図１は、第１の実施形態に係る電気・電子機器収納ボックスの斜視図である。図１に示す電気・電子機器収納ボックス１は、配電盤や電子制御部品などの種々の電子部品が収納されているボックスであって、用途に応じて、屋内に配置されることもあれば、屋外に配置されることもある。
【００２９】
図１に示すように、電気・電子機器収納ボックス１は、ボックス本体１０ａと、扉１０ｂとを備えている。扉１０ｂは、ヒンジ部材１６によってボックス本体１０ａに対して開閉可能に取り付けられている。ボックス本体１０ａと扉１０ｂとは、鉄、ステンレス、アルミニウムなどの金属若しくは合金または樹脂などにより形成されている。
【００３０】
電気・電子機器収納ボックス１の内部には、１または複数の電気・電子機器１３が収納されている。本実施形態では、電気・電子機器１３は、電気・電子機器収納ボックス１の内壁１２に対して固定されている。電気・電子機器１３の種類は特に限定されない。電気・電子機器１３は、例えば、分電盤、操作盤、通信機器等の各種電子部品などであってもよい。
【００３１】
図１に示すように、電気・電子機器収納ボックス１には、調湿部材２０が設置されている。調湿部材２０は、保持具１９と、複数の調湿板２２とを備えている。調湿板２２は、調湿板２２が配置された環境における相対湿度に応じて吸放湿する部材である。本実施形態では、調湿板２２の平面形状は矩形状である。但し、本発明において、調湿板の形状は特に限定されず、例えば、調湿板の平面形状は、円形状、長円形状、楕円形状、多角形状などであってもよい。
【００３２】
調湿板２２は、例えば、無機多孔体により形成される。調湿板２２を構成する無機多孔体としては、例えば、非晶質シリカ及び珪酸塩化合物の内の少なくとも一方を主成分として含む無機多孔体が挙げられる。
【００３３】
非晶質シリカ及び珪酸塩化合物の内の少なくとも一方を主成分として含む無機多孔体は、吸水ポリマーなどの有機系調湿板と比べて、単独で形状保持ができるという利点を有し、経年による形状変化が小さい。
【００３４】
珪酸塩化合物の具体例としては、アロフェン、イモゴライト、バーミキュライト、パリゴルスカイト及び珪藻土等の粘土鉱物などが挙げられる。
【００３５】
調湿板２２の温度５℃〜５０℃の環境下での相対湿度７５％と相対湿度４０％の平衡含水量の差は、９．５ｍｇ／ｇ〜５５．０ｍｇ／ｇであることが好ましく、１０．０ｍｇ／ｇ〜５０．０ｍｇ／ｇであることがより好ましく、２０．０ｍｇ／ｇ〜４５．０ｍｇ／ｇであることがさらに好ましい。ここで平衡含水量とは、材料の単位重量当たり、所定の相対湿度環境下で吸着できる最大の水蒸気量を意味する。
【００３６】
調湿板２２の温度５℃〜５０℃の環境下での相対湿度９５％と相対湿度７５％の平衡含水量の差は、１５．０ｍｇ／ｇ〜８５．０ｍｇ／ｇであることが好ましく、３０．０ｍｇ／ｇ〜８５．０ｍｇ／ｇであることがより好ましく、５０．０ｍｇ／ｇ〜８３．０ｍｇ／ｇであることがさらに好ましい。
【００３７】
調湿板２２の透湿係数は、４５０〜２７００ｎｇ／（ｍ２・ｓ・Ｐａ）であることが好ましく、１０００〜２３００ｎｇ／（ｍ２・ｓ・Ｐａ）であることがより好ましい。なお、透湿係数とは、材料の単位厚み当たりの水蒸気移動速度を示す数値である。透湿係数は、ＪＩＳ  Ａ  １３２４に規定されている測定方法により測定することができる。
【００３８】
図２及び図３に示すように、複数の調湿板２２は、保持具１９によって保持されている。保持具１９は、例えば、鉄、アルミニウム、ステンレスなどの金属若しくは合金または樹脂などにより形成されている。
【００３９】
保持具１９は、保持具本体２１を備えている。本実施形態では、保持具本体２１は、筒状に形成されている。具体的には、保持具本体２１は、底壁２１ａと、天井壁２１ｂと、相互に対向する第１及び第２の側壁２１ｃ、２１ｄとにより構成されており、正面及び背面には、複数の調湿板２２が配置されている空間に接続されている開口が形成されている。このため、調湿部材２０の調湿性能をより高くすることができる。
【００４０】
図２に示すように、保持具本体２１には、複数の支持部対１８が取り付けられている。支持部対１８は、第１の支持部１８ａと第２の支持部１８ｂとを備えている。第１の支持部１８ａは、第１の側壁２１ｃの内面側に固定されている。第２の支持部１８ｂは、第２の側壁２１ｄの内面側に固定されている。
【００４１】
図４は、第１の支持部１８ａの斜視図である。図４に示すように、第１の支持部１８ａは、横断面形状が略Ｌ字状となるように形成されている。第１の支持部１８ａは、第１の取り付け平面部２４ａと、第１の支持平面部２３ａとを備えている。図２及び図３に示すように、第１の支持部１８ａは、第１の取り付け平面部２４ａにおいて第１の側壁２１ｃの内面側に固定されている。第１の支持平面部２３ａは、第１の取り付け平面部２４ａに接続されている。第１の支持平面部２３ａは、第１の側壁２１ｃ側から第２の側壁２１ｄ側に向かって延びている。本実施形態では、第１の支持平面部２３ａは、底壁２１ａに対して略平行である。
【００４２】
図５は、第２の支持部１８ｂの斜視図である。図５に示すように、第２の支持部１８ｂは、横断面形状が略Ｌ字状となるように形成されている。第２の支持部１８ｂは、第２の取り付け平面部２４ｂと、第２の支持平面部２３ｂとを備えている。図２及び図３に示すように、第２の支持部１８ｂは、第２の取り付け平面部２４ｂにおいて第２の側壁２１ｄの内面側に固定されている。第２の支持平面部２３ｂは、第２の取り付け平面部２４ｂに接続されている。第２の支持平面部２３ｂは、第２の側壁２１ｄ側から第１の側壁２１ｃ側に向かって延びている。本実施形態では、第２の支持平面部２３ｂは、底壁２１ａに対して略平行である。
【００４３】
図２に示すように、相互に同じ高さに位置する第１の支持平面部２３ａと第２の支持平面部２３ｂとは、支持平面部対２８を構成している。本実施形態では、この複数の第１の支持平面部２３ａと複数の第２の支持平面部２３ｂとにより構成されており、高さ方向に沿って配列された複数の支持平面部対２８のそれぞれの上に、調湿板２２が載置されている。
【００４４】
このように、本実施形態では、高さ方向に沿って配列された複数の支持平面部対２８のそれぞれの上に調湿板２２が載置されている。このため、実質的に調湿板２２一枚程度の小さな配置スペースに多数の調湿板２２を高さ方向に積層して配置することができる。従って、高い調湿性能を実現することができる。
【００４５】
また、保持具１９の複数の支持平面部対２８のそれぞれに調湿板２２を載置することのみで調湿部材２０を作製することができ、調湿部材の作製にあたって、調湿板に貫通孔などを形成する等の加工を施す必要がない。従って、容易に調湿部材２０を作製することができる。
【００４６】
さらに、調湿板２２は、支持平面部対２８に固定されていないため、複数の調湿板を相互に固定している場合と比較して、調湿板２２の交換などのメンテナンスを容易に行うことができる。
【００４７】
なお、上記実施形態では、保持具本体２１は、底壁２１ａと、天井壁２１ｂと、対向する第１及び第２の側壁２１ｃ、２１ｄとにより構成される例について説明した。但し、保持具本体は、一対の側壁を有する部材である限り特に限定されない。保持具本体は、例えば、一対の側壁と、底壁及び天井壁のうちの一方の壁部とにより構成されていてもよい。
【００４８】
また、上記実施形態では、保持具本体２１の正面及び背面の両方に開口が形成されている例について説明したが、保持具本体の正面及び背面のうちの一方にのみ開口を形成してもよい。さらに、例えば、天井壁が設けられていない場合は、保持具本体の正面及び背面の両方に開口を形成しなくてもよい。
【００４９】
以下、本発明を実施した好ましい形態のさらなる例について詳細に説明する。尚、以下の実施形態の説明において、上記実施形態と実質的に共通の機能を有する部材に対して共通の符合を附し、説明を省略する。
【００５０】
（第２の実施形態）
図６は、第２の実施形態における調湿部材の斜視図である。図７は、第２の実施形態における調湿部材の平面図である。なお、図７では、説明の便宜上、複数の調湿板２２の描画を省略している。
【００５１】
図６及び図７に示す調湿部材３０も、上記の第１の実施形態の調湿部材２０と同様に、種々の電気・電子機器収納ボックス内に設置されて使用される。
【００５２】
図６及び図７に示すように、調湿部材３０は、保持具３１と、複数の調湿板２２とを備えている。保持具３１は、例えば、鉄、アルミニウム、ステンレスなどの金属若しくは合金または樹脂などにより形成されている。
【００５３】
保持具３１は、一体に形成された基板３１ａと複数の支持壁部３１ｂとを有する。複数の支持壁部３１ｂは、基板３１ａの上に配置されている。図７に示すように、複数の支持壁部３１ｂは、相互に平行に延びている。複数の支持壁部３１ｂは、支持壁部３１ｂの幅方向に沿って相互に間隔を置いて配置されている。図６に示すように、複数の支持壁部３１ｂは、基板３１ａから上側に延びている。
【００５４】
本実施形態では、複数の調湿板２２のそれぞれは、隣接する支持壁部３１ｂ相互間に形成された溝３１ｃに挿入されて立てかけられることにより保持されている。このため、例えば、調湿板２２を基板３１ａに平行に配置する場合と比較して、調湿板２２一枚あたりの設置面積を小さくすることができる。従って、限られた配置スペースにより多くの調湿板２２を配置することができる。
【００５５】
また、調湿部材３０の作製にあたっては、調湿板２２に貫通孔などを形成する等の加工を施す必要がなく、調湿部材３０は、保持具３１に複数の支持平面部対２８を載置するのみで容易に作製することができる。
【００５６】
さらに、調湿板２２は、保持具３１に固定されていないため、調湿板２２の交換などのメンテナンスを容易に行うことができる。
【００５７】
（第３の実施形態）
図８は、第３の実施形態に係る電気・電子機器収納ボックスの斜視図である。図９は、第３の実施形態における調湿部材の平面図である。図１０は、第３の実施形態における調湿部材の展開図である。図８に示すように、本実施形態の調湿部材４０も、上記の第１及び第２の実施形態の調湿部材２０，３０と同様に、種々の電気・電子機器収納ボックス内に設置されて使用される。
【００５８】
図９及び図１０に示すように、調湿部材４０は、通気性シート４２と、吸放湿する複数の調湿板４１とを備えている。通気性シート４２には、複数の孔が形成されているため、通気性シート４２は、空気を透過させる。通気性シート４２は、変形可能である。通気性シート４２は、可撓性を有する。具体的には、本実施形態では、通気性シート４２は、不織布により構成されている。
【００５９】
複数の調湿板４１は、通気性シート４２に貼付されている。本実施形態では、図１０に示すように、調湿板４１は、細長形状に形成されている。そして、複数の調湿板４１は、調湿板４１の幅方向に沿って相互に間隔をあけて配列されている。
【００６０】
図８及び図９に示すように、本実施形態では、調湿部材４０は、調湿板４１が内側に位置するように、調湿板４１の幅方向に巻回された状態で、電気・電子機器収納ボックス内に配置される。
【００６１】
以上のように、本実施形態では、変形可能な通気性シート４２に複数の調湿板４１が貼付されているため、配置スペースの形状に合わせて調湿部材４０を変形させることができる。このため、本実施形態の調湿部材４０は、小さな配置スペースにも無駄なく配置することができる。また、小さなスペースにより多くの調湿板２２を配置することが可能となる。従って、本実施形態の調湿部材４０を用いることにより、高い調湿性能を実現することができる。
【００６２】
また、調湿板４１が通気性シート４２に貼付されているため、調湿板４１の通気性シート４２に貼付されている側の表面も調湿に寄与する。従って、さらに高い調湿性能を実現することができる。
【００６３】
また、複数の調湿板４１を一枚の調湿板とする場合よりも調湿板４１の単位体積あたりの表面積を大きくすることができる。従って、より高い調湿性能を実現することができる。
【００６４】
さらに、調湿部材４０の作製にあたって、調湿板にねじ孔などを形成する必要がなく、本実施形態の調湿部材４０は、調湿板４１を通気性シート４２に貼付するのみで容易に作製することができる。
【００６５】
上記第３の実施形態では、通気性シート４２を不織布により構成する例について説明したが、通気性シートは、複数の開口が形成された金属製シートなどによっても構成される。
【００６６】
上記第１〜第３の実施形態の調湿部材の取り付け構造は、どのような電気・電気・電子機器収納ボックスに対しても有効なものであるが、ボックスの容量に対して機器の容量が大きく、調湿部材の大きな収納スペースを確保することが困難な、配電機器を収納している多回路開閉器収納ボックスや自動多回路開閉器収納ボックスなどに対して特に有効である。
【図面の簡単な説明】
【００６７】
【図１】第１の実施形態に係る電気・電子機器収納ボックスの斜視図である。
【図２】調湿部材の斜視図である。
【図３】図２におけるＩＩＩ−ＩＩＩ矢視図である。
【図４】第１の支持部の斜視図である。
【図５】第２の支持部の斜視図である。
【図６】第２の実施形態における調湿部材の斜視図である。
【図７】第２の実施形態における調湿部材の平面図である。
【図８】第３の実施形態に係る電気・電子機器収納ボックスの斜視図である。
【図９】第３の実施形態における調湿部材の平面図である。
【図１０】第３の実施形態における調湿部材の展開図である。
【符号の説明】
【００６８】
１…電気・電子機器収納ボックス
１０ａ…ボックス本体
１０ｂ…扉
１２…内壁
１３…電気・電子機器
１６…ヒンジ部材
１８…支持部対
１８ａ…第１の支持部
１８ｂ…第２の支持部
１９，３１…保持具
２０，３０，４０…調湿部材
２１…保持具本体
２１ａ…底壁
２１ｂ…天井壁
２１ｃ…第１の側壁
２１ｄ…第２の側壁
２２…調湿板
２３ａ…第１の支持平面部
２３ｂ…第２の支持平面部
２４ａ…第１の取り付け平面部
２４ｂ…第２の取り付け平面部
２８…支持平面部対
３１ａ…基板
３１ｂ…支持壁部
３１ｃ…溝
４１…調湿板
４２…通気性シート
【図１】
2010081719.tif 000003
【図２】
2010081719.tif 000004
【図３】
2010081719.tif 000005
【図４】
2010081719.tif 000006
【図５】
2010081719.tif 000007
【図６】
2010081719.tif 000008
【図７】
2010081719.tif 000009
【図８】
2010081719.tif 000010
【図９】
2010081719.tif 000011
【図１０】
2010081719.tif 000012